(57)【要約】      （修正有）【課題】廃物が生じることなく、また環境に対して有害な接着剤が必要になることなく、容易に製作可能であり、簡単に任意の積層体にまとめることができる薄板フィルタを提供する。【解決手段】薄板セグメントが、個々のモジュール９から成っており、該モジュール９が、ハニカム管１０を有していて、その外側の長手方向領域に溝結合部１１もしくはキー結合条片１２を有しており、該溝結合部１１もしくは該キー結合条片１２を介してモジュール９の相互の嵌合せによって薄板積層体１３が形成されるようになっているようにした。【選択図】図３
0003143702.tif 000002
【実用新案登録請求の範囲】
【請求項１】
傾斜型清澄設備に用いられる薄板フィルタであって、個々の薄板セグメントが設けられており、該薄板セグメントが、積層体にまとめられてハウジング内に傾斜下で配置されており、清澄したい汚水が、ハウジングの下側の領域に供給されるようになっていて、薄板積層体を介して上方に案内されるようになっており、この途中に懸濁物質が、傾けられた薄板に沈降するようになっていて、その後、ハウジングの下方に設けられた汚泥容器内に滑り落ちるようになっており、これによって、ハウジングの上側の領域で、浄化された水が導出されるようになっており、汚泥容器から汚泥が導出されるようになっている形式のものにおいて、
薄板セグメント（７）が、個々のモジュール（９）から成っており、該モジュール（９）が、ハニカム管（１０）を有していて、その外側の長手方向領域に溝結合部（１１）もしくはキー結合条片（１２）を有しており、該溝結合部（１１）もしくは該キー結合条片（１２）を介してモジュール（９）の相互の嵌合せによって薄板積層体（１３）が形成されるようになっていることを特徴とする、傾斜型清澄設備に用いられる薄板フィルタ。
【請求項２】
ハニカム管（１０）が、六角形の横断面を有している、請求項１記載の薄板フィルタ。
【請求項３】
ハニカム管（１０）が、１つの面に溝を有していて、反対の側に位置する面にキーを有している、請求項１または２記載の薄板フィルタ。
【請求項４】
モジュール（９）が、複数、有利には３つのハニカム管（１０）を有している、請求項１記載の薄板フィルタ。
【請求項５】
モジュール（９）が、押出し法でエンドレスに製作されるようになっていて、有利にはタルク強化されたポリプロピレンまたはポリエチレンから成っている、請求項１または４記載の薄板フィルタ。
【考案の詳細な説明】
【技術分野】
【０００１】
本考案は、傾斜型清澄設備に用いられる薄板フィルタであって、個々の薄板セグメントが設けられており、該薄板セグメントが、積層体にまとめられてハウジング内に傾斜下で配置されており、清澄したい汚水が、ハウジングの下側の領域に供給されるようになっていて、薄板積層体を介して上方に案内されるようになっており、この途中に懸濁物質が、傾けられた薄板に沈降するようになっていて、その後、ハウジングの下方に設けられた汚泥容器内に滑り落ちるようになっており、これによって、ハウジングの上側の領域で、浄化された水が導出されるようになっており、汚泥容器から汚泥が導出されるようになっている形式のものに関する。
【背景技術】
【０００２】
清水および汚水に対するコストの上昇によって、水処理の問題がますます重要となってくる。したがって、たとえば磁器工業、セラミックス工業およびガラス工業は、洗浄水を浄化し、素地残分を除去し、冷却・研削水から固形物質を分離するために、著しい水量を要求する。傾斜型清澄設備によって、水の循環案内または多重使用が可能となり、これによって、コストを著しく削減することができる。
【０００３】
鋳造・コンクリート工場では、傾斜型清澄設備を、たとえば細砂回収のために使用することができ、果物・野菜処理では、たとえば汚水から懸濁物質を除去するために使用することができ、また、汚染跡地改善、たとえば汚染された土壌の浄化、変質させられた水域の再生等のためにも使用することができる。
【０００４】
これまで使用されていた傾斜型清澄設備は薄板フィルタを使用していた。この薄板フィルタは台形材プレートの接着またはリベット締めによって積層され、いわゆる「ハニカムブロック」が製作されていた。これは、手間のかかる製作法であり、たとえば異なる寸法を備えた別の傾斜型清澄設備へのこのような形式のフィルタ積層体の再使用を不可能にしていた。
【考案の開示】
【考案が解決しようとする課題】
【０００５】
本考案の課題は、廃物が生ぜしめられるかまたは環境に対して有害な接着剤が必要になることなく、容易に製作可能であり、簡単に任意の積層体にまとめることができる薄板フィルタを提供することである。
【課題を解決するための手段】
【０００６】
この課題を解決するために本考案の構成では、薄板セグメントが、個々のモジュールから成っており、該モジュールが、ハニカム管を有していて、その外側の長手方向領域に溝結合部もしくはキー結合条片を有しており、該溝結合部もしくは該キー結合条片を介してモジュールの相互の嵌合せによって薄板積層体が形成されるようになっているようにした。
【０００７】
本考案の有利な構成によれば、ハニカム管が、六角形の横断面を有している。
【０００８】
本考案の有利な構成によれば、ハニカム管が、１つの面に溝を有していて、反対の側に位置する面にキーを有している。
【０００９】
本考案の有利な構成によれば、モジュールが、複数、有利には３つのハニカム管を有している。
【００１０】
本考案の有利な構成によれば、モジュールが、押出し法でエンドレスに製作されるようになっていて、有利にはタルク強化されたポリプロピレンまたはポリエチレンから成っている。
【考案の効果】
【００１１】
本考案によれば、モジュールの相互の嵌合せによって、自体安定していると共に任意の長さを有することができる薄板積層体を任意の横断面で製作することができる。このように形成された積層体は、任意の傾斜位置でハウジング内に設けることができ、これによって、汚水の最適な清澄が行われる。
【００１２】
本考案の有利な構成では、ハニカム管が、六角形の横断面を有している。この横断面によって、個々の薄板セグメントの安定した結合と、積層体の、最適に使用される横断面とが可能となる。
【００１３】
ハニカム管の容易な結合可能性は、本考案によれば、ハニカム管が、１つの面に溝を有していて、反対の側に位置する面にキーを有していることによって付与されている。更なる利点は、モジュールが、複数、有利には３つのハニカム管を有していることである。
【００１４】
本考案の別の構成は、モジュールが、押出し法でエンドレスに製作されるようになっていて、有利にはタルク強化されたポリプロピレンまたはポリエチレンから成っていることによって特徴付けられている。したがって、モジュールの製作をエンドレスに行うことができ、これによって、廃物が生ぜしめられることなしに、モジュールの定尺切断しか行われない。使用される材料は、十分な耐薬品性の点で優れていて、最大約８０℃の高温水の浄化を可能にする。設備拡張、設備変更または設備閉鎖の場合には、フィルタブロックの容易な分解可能性のおかげで、再使用のための返却が可能となる。のちの廃棄処理は、接着剤および異種の材料を含んでいない、環境に対して比較的優しいポリプロピレンに鑑み、プラスチックリサイクル元で問題とならない。
【考案を実施するための最良の形態】
【００１５】
以下に、本考案を実施するための最良の形態を図面につき詳しく説明する。
【００１６】
傾斜板沈降装置とも呼ばれる傾斜型清澄設備（１）は、清澄したい汚水のための流入通路（２）と、浄化された水のための流出通路（３）とを有している。傾斜型清澄設備（１）の下側の領域には、汚泥容器（４）が設けられている。この汚泥容器（４）にも同じく、汚泥を導出するための流出通路（５）が対応配置されている。
【００１７】
傾斜型清澄設備（１）の内部では、ハウジング（６）内に薄板セグメント（７）の積層体が配置されている。この積層体は支持体（８）に支持されている。清澄したい汚水は、薄板積層体（７）を通って上方に上昇する。この場合、この途中で懸濁物質が、傾けられた薄板に沈降する。その後、浄化された水が流出通路（３）を介して流出することができ、懸濁物質が汚泥容器（４）内に滑り落ちる。
【００１８】
約６０゜の傾斜での薄板セグメント（７）の傾斜配置によって、懸濁物質の滑落ちが助成される。
【００１９】
図２には、１つの薄板セグメント（７）のモジュール（９）が示してある。このモジュール（９）は、図示の実施例では、３つのハニカム管（１０）を有している。各モジュール（９）はその外側の長手方向領域に溝結合部（１１）もしくはキー結合条片（１２）を有している。この溝結合部（１１）もしくはキー結合条片（１２）を介した、相並んで配置されたモジュールによる相互の嵌合せによって、簡単に任意のサイズの薄板積層体（１３）を形成することができる（図３参照）。
【００２０】
図３に示した実施例では、薄板積層体（１３）が全部で６つのモジュールから成っている。これらのモジュールは、溝結合部（１１）もしくはキー結合エレメント（１２）を介した相互の嵌合せによって結合されている。
【図面の簡単な説明】
【００２１】
【図１】傾斜型清澄設備の部分縦断面図である。
【図２】薄板セグメントの横断面図である。
【図３】積層体にまとめられた薄板セグメントを示す図である。
【符号の説明】
【００２２】
１  傾斜型清澄設備、  ２  流入通路、  ３  流出通路、  ４  汚泥容器、  ５  流出通路、  ６  ハウジング、  ７  薄板セグメント、  ８  支持体、  ９  モジュール、  １０  ハニカム管、  １１  溝結合部、  １２  キー結合条片、  薄板積層体
【図１】
0003143702.tif 000003
【図２】
0003143702.tif 000004
【図３】
0003143702.tif 000005